(57)【要約】【課題】ファンモータ取り付け時に、ファンモータがネジで固定されていない状態での脱落を確実に防止し、モータの脱着作業性の向上を図ること。【解決手段】ファンモータ台にファンモータが非固定状態でモータの外郭を下部から支持し、前記ファンモータの回転軸方向の重心より前に位置し、ファンモータの脱落を防止する支持体を設けた構成としたもので、この構成をなすことにより、ファンモータが非固定状態であってもモータの脱落を防止することができ、ファンモータの脱着作業性の向上を図ることができる。【選択図】図３
2006292196.tif 000002
【特許請求の範囲】
【請求項１】
少なくとも内部にファンモータと、前記ファンモータを固定するファンモータ台を備えた空気調和機の室外ユニットにおいて、前記ファンモータの外郭には、前記ファンモータ台に固定するための取付け脚を設け、前記取付け脚は前記ファンモータの重心より前方に偏っていることを特徴とする空気調和機の室外ユニット。
【請求項２】
ファンモータ台の、ファンモータ取付け部の近傍には、ファンモータの脱落を防止する支持体を設けたことを特徴とする、請求項１記載の空気調和機の室外ユニット。
【請求項３】
支持体の先端形状をファンモータ外郭の形状と略一致させたことを特徴とする、請求項１記載の空気調和機の室外ユニット。
【請求項４】
支持体の先端部に複数の凸部を設けたことを特徴とする、請求項１記載の空気調和機の室外ユニット。
【請求項５】
支持体はファンモータ台の一部を切起して形成したことを特徴とする、請求項１〜４のいずれかに記載の空気調和機の室外ユニット。
【発明の詳細な説明】
【技術分野】
【０００１】
本発明は空気調和機の室外ユニットに関するものである。
【背景技術】
【０００２】
従来、この種の空気調和機の室外ユニットとしては、たとえば、図７に示すように、空気調和機の室外機のモータ７０は、室外機箱体（図示せず）の内部に固定されるモータ台７１に取付けられる。
【０００３】
即ち、モータ台７１は、その中央部にモータ嵌合用孔７２が設けられると共に、この嵌合用孔７２に関して、その円周にネジ孔７３が複数個設けられ、下端から水平方向に延びる折曲片７４を備え、この折曲片７４が室外機箱体の底板に固定されている。
【０００４】
また、モータ台７１の上端から水平に延びる折曲片７５を備え、この折曲片７５が室外機箱体の前板に固定されている（例えば、特許文献１参照）。
【特許文献１】特開平８−１２８６６５号公報
【発明の開示】
【発明が解決しようとする課題】
【０００５】
しかしながら、前記従来の構成では、モータ７０をモータ台７１に取り付けるには、モータ７０の外郭７６をモータ台７１のモータ嵌合用孔７２に嵌合させ、この状態で、ボルト部材をファンモータの取り付け脚７７に挿入すると共に、モータ台７１に設けられたネジ孔７３に固定させるが、モータ７０の取付作業は、上述の如く、モータ７０の外郭７６をモータ台７１の嵌合用孔７２に嵌合させた後、ボルト部材を締め付ける必要がある。
【０００６】
そして、作業者はモータ７０を嵌合させた状態を保持しながら次のネジ締め付け作業を行なわなければならなかった。そのため、作業が困難で、万一保持できなかった場合、モータが脱落するという課題を有していた。またモータ７０の交換時にも同様の課題を有していた。
【０００７】
本発明は、前記従来の課題を解決するもので、モータの非固定状態、すなわち作業者がモータから手を離した状態でのモータの脱落を防止して、モータの取り付け作業および交換作業時の脱着作業性を向上させた空気調和器の室外ユニットを提供することを目的とする。
【課題を解決するための手段】
【０００８】
前記従来の課題を解決するために本発明の空気調和機の室外ユニットはモータ台にファンモータが非固定状態でモータの外郭を下部から支持し、前記ファンモータの回転軸方向の重心より前に位置し、ファンモータの脱落を防止する支持体を備えた構成としたものである。
【０００９】
これによって、作業者がモータから手を離した状態でのモータの脱落を防止して、モータの取り付け作業および交換作業時の脱着作業性を向上させることができる。
【発明の効果】
【００１０】
本発明の空気調和機の室外ユニットは、作業者がモータから手を離した状態でのモータの脱落を防止して、モータの取り付け作業および交換作業時の脱着作業性を向上することができる。
【発明を実施するための最良の形態】
【００１１】
第１の発明はファンモータ台にファンモータが非固定状態でモータのケーシングを下部から支持し、ファンモータの脱落を防止するする支持体を前記ファンモータの回転軸方向の重心より前に備えたことによりファンモータが非固定状態であってもファンモータの脱落を防止することができる。
【００１２】
第２の発明は、特に第１の発明のファンモータ台の、ファンモータ取付け部の近傍に、ファンモータの脱落を防止する支持体を設けたことにより、ファンモータが非固定状態であってもファンモータの脱落を防止することができる。
【００１３】
第３の発明は、特に第１の発明の支持体の先端をファンモータの外郭の外形と同一の円弧形状としたことによりファンモータを安定して支持することが出来、ファンモータが非固定状態であってもファンモータの脱落を防止することができる。
【００１４】
第４の発明は、特に第１の発明の支持体の先端の中央を切欠き凸部を設けたことによりファンモータ取付け時、ファンモータのコード取りだし部と干渉することなくファンモータの取付けができ、ファンモータが非固定状態であってもファンモータの脱落を防止することができる。
【００１５】
第５の発明は、特に、特に第１の発明の支持体をファンモータ台から起立した起立片で構成したことにより、その構造は簡単であり、ファンモータが非固定状態であってもファンモータの脱落を防止することができるファンモータ台を安価に提供することができる。
【００１６】
以下、本発明の実施の形態について、図面を参照しながら説明する。
【００１７】
なお、本発明の実施の形態によって本発明が限定されるものではない。
【００１８】
（実施の形態１）
図１は、本発明の第１の実施の形態における空気調和機の室外ユニットの分解斜視図、図２はファンモータの斜視図、図３はファンモータ台の斜視図、図４はファンモータ台にファンモータを固定した状態の側面図を示すものである。
【００１９】
図１、図２において、室外機本体１の内部に圧縮機２、熱交換器３、ファンモータ４、ファン５、を備え、前記ファンモータ４はファンモータ台６によって室外機本体１に固定されている。
【００２０】
また、ファンモータ４はロータ等が内蔵された外郭７と外郭７から突出した回転軸８をそなえ、外郭７にはその外周に取付け部９が設けられている。そして、ファンモータ４の回転軸方向の重心は取付け部９からファン５側に位置している。
【００２１】
一方、ファンモータ台６は図３に示すように左右の柱１０ａ、１０ｂと下部固定具１１、上部固定具１２とモータ固定具１３によって構成され、モータ固定具１３には、その中央にファンモータ４の外郭７が勘合するモータ用孔１４が設けられると共に、このモータ用孔１４の外周の円周状にモータ固定孔１５を備え、さらに支持体１６を備えている。
【００２２】
この場合、支持体１６はモータ固定具１３の一部を切り起して形成したものである。
【００２３】
また下部固定具１１が室外機の底板１７に固定され、上部固定具１２が天板１８に固定される。
【００２４】
モータ用孔１４はファンモータ４の外郭７の外径よりわずかに大きく設定されている。ファンモータ４の固定は前記取付け部９にあけられた孔部１９をネジ（図示せず）にてモータ固定金具１３に固定する事によりファンモータ台６に固定される。
【００２５】
以上のように構成された空気調和機の室外機において、ファンモータ４の取付け手順としては、まずファンモータ４の外郭７をモータ固定具１３のモータ用孔１４に挿入する。
【００２６】
この時、図４に示すように、モータの回転軸方向の重心がモータ用孔１４と支持体１６との間に位置するため、ファンモータ４はモータ固定具１３のモータ用孔１４と支持体１６とによって保持される。
【００２７】
これにより作業者がファンモータ４から手を離してもファンモータ４はファンモータ台６から外れることなく、自立するため、ファンモータ４の取付け作業を確実に実施することができる。
【００２８】
またサービス時にもモータの取付け、取外し作業を確実に実施することができる。
【００２９】
（実施の形態２）
図５は、本発明の第１の実施の形態における空気調和機の室外ユニットのモータ固定具の斜視図を示すものである。
【００３０】
なお、上記実施の形態と同一部分については同一の符号を付してその説明を省略する。
【００３１】
本実施の形態では、支持体１６の先端をファンモータ４の外郭７の外径と同一形状としたのでファンモータ４が非固定状態で、支持体１６の先端にファンモータ４の外郭７の外径が一致し、ファンモータ４を確実に支持することができる。
【００３２】
（実施の形態３）
図６は、本発明の第１の実施の形態における空気調和機の室外ユニットのモータ固定具の斜視図を示すものである。
【００３３】
なお、上記実施の形態と同一部分については同一の符号を付してその説明を省略する。本実施の形態では、支持体１６の先端の中央部を切欠き、凸部を設けたのでファンモータ４のコード取りだし部１９と干渉することなくファンモータ４の取付けができ、ファンモータ４が非固定状態であってもファンモータの脱落を防止することができる。
【産業上の利用可能性】
【００３４】
以上のように、本発明にかかる空気調和機の室外ユニットは、ファンモータの取付け作業性が向上するので、ファンモータを備えた冷凍機や空気清浄機等の機器にも適用できる。
【図面の簡単な説明】
【００３５】
【図１】本発明の実施の形態１における空気調和機の室外ユニットの分解斜視図
【図２】本発明の実施の形態１におけるファンモータの斜視図
【図３】本発明の実施の形態１におけるファンモータ台の斜視図
【図４】本発明の実施の形態１におけるファンモータ台にファンモータを固定した状態の側面図
【図５】本発明の実施の形態２におけるモータ固定具の斜視図
【図６】本発明の実施の形態３におけるモータ固定具の斜視図
【図７】従来のファンモータ台の斜視図
【符号の説明】
【００３６】
１  室外機本体
２  圧縮機
３  熱交換器
４  ファンモータ
６  ファンモータ台
９  取付け部
１６  支持体
Ａ  ファンモータの重心
【図１】
2006292196.tif 000003
【図２】
2006292196.tif 000004
【図３】
2006292196.tif 000005
【図４】
2006292196.tif 000006
【図５】
2006292196.tif 000007
【図６】
2006292196.tif 000008
【図７】
2006292196.tif 000009